(57)【要約】【課題】閉蓋の際、バールで蓋本体を引きずるようにしたり、蓋本体を後方から受枠内に押し込むだけで蓋本体をスムーズに受枠内に収めることができる地下構造物用丸型蓋を提供すること。【解決手段】丸型の蓋本体１０と、この蓋本体１０を内周面上部で支持する受枠２０とからなる地下構造物用丸型蓋において、受枠２０の内周面上部には、受枠２０の内方に向けて凸となる受枠凸曲面部２１を形成するとともに、この受枠凸曲面部の上方に凹状の受枠凹曲面部２２を連続して形成し、前記蓋本体１０の外周側面には、前記受枠凸曲面部２１に倣った凹状の蓋凹曲面部１１を形成するとともに、この蓋凹曲面部１１の上方に前記受枠凹曲面部２２に倣った凸状の蓋凸曲面部１２を連続して形成した。【選択図】図２
2006312870.tif 000002
【特許請求の範囲】
【請求項１】
丸型の蓋本体と、この蓋本体を内周面上部で支持する受枠とからなる地下構造物用丸型蓋において、
受枠の内周面上部には、受枠の内方に向けて凸となる受枠凸曲面部を形成するとともに、この受枠凸曲面部の上方に凹状の受枠凹曲面部を連続して形成し、
蓋本体の外周側面には、前記受枠凸曲面部に倣った凹状の蓋凹曲面部を形成するとともに、この蓋凹曲面部の上方に前記受枠凹曲面部に倣った凸状の蓋凸曲面部を連続して形成したことを特徴とする地下構造物用丸型蓋。
【発明の詳細な説明】
【技術分野】
【０００１】
本発明は、丸型の蓋本体と、この蓋本体を内周面上部で支持する受枠とからなる地下構造物用丸型蓋に関する。
【０００２】
なお、本願明細書でいう「地下構造物用丸型蓋」とは、下水道における地下埋設物、地下構造施設等と地上とを通じる開口部を閉塞するマンホール蓋、大型鉄蓋、汚水桝蓋、電力・通信における地下施設機器や地下ケーブル等を保護する開閉可能な共同溝用鉄蓋、送電用鉄蓋、配電用鉄蓋、上水道やガス配管における路面下の埋設導管およびその付属機器と地上とを結ぶ開閉扉としての機能を有する消火栓蓋、制水弁蓋、仕切弁蓋、空気弁蓋、ガス配管用蓋、量水器蓋等のうち丸型のものを総称する。
【背景技術】
【０００３】
従来、地下構造物用丸型蓋としては、蓋本体の外周側面および受枠の内周面上部を上方に向けて拡径する勾配面（傾斜面）として、蓋本体を受枠に食い込ませるようにした勾配受構造のものや、蓋本体の外周側面および受枠の内周面上部を垂直面とし、受枠内周面に突出させた棚部の上面に蓋本体の底面を当接させて支持する平受構造のものが知られている。
【０００４】
これらの地下構造物用丸型蓋のうち、特許文献１に記載されているように蓋本体と受枠とが蝶番金物で連結されたものや特許文献２に記載されているようにくさりによって蓋本体と受枠とを連結したものにあっては、開蓋する際、蝶番金物またはくさりと対向する蓋本体の側縁をバールでわずかに持ち上げて水平旋回または手に持ち替えて垂直転回させている。また、閉蓋する際は開蓋と逆の要領で行っており、例えば、蝶番金物で受枠に連結された蓋本体を水平旋回させて閉蓋する場合、バールで蓋本体を浮かせながら蝶番金物を中心として水平旋回させ、受枠にほぼ重ねた状態で置いた後に、最終的にはそのままバールで蓋本体を引きずるようにして受枠内に収めたり、足によって蓋本体を後方から斜め下方向に押し込み受枠内に収めるようにしている。
【０００５】
一方、蓋本体と受枠とが蝶番金物やくさり等の連結体で連結されていないものについては、蓋本体の側縁を受枠からわずかに持ち上げてそのまま半径方向に引き出して開蓋し、閉蓋の場合には蓋本体を後方から斜め下方向に押し込んで受枠内に収めるようにしている。
【特許文献１】実公昭５７−５８２９６号公報
【特許文献２】実公昭５７−４６４５９号公報
【発明の開示】
【発明が解決しようとする課題】
【０００６】
しかしながら、蓋本体を閉蓋する際、上述したように、バールで蓋本体を引きずるようにして受枠内に収めたり、蓋本体を後方から斜め下方向に押し込んで受枠内に収めるようとすると、蓋本体の前部が大きく受枠内に落ち込むことがあり、この状態で蓋本体をさらに押し込むと蓋本体の前部左右の側面が受枠の内周面（垂直壁）に接触して嵌り込んでしまい、それ以上蓋本体を押し込むことができなくなる。この状態を図４に例示しており、同図（ａ）はその断面を示し、同図（ｂ）は蓋本体の外周側面と受枠の内周面上部との接触部（同図（ａ）のＡ−Ａ線部）の要部の断面を示している。図示の状態では、蓋本体１０の前部左右の側面が受枠２０の垂直壁２６の上端に接触して嵌り込んでいる。このような状態になると、それ以上は蓋本体１０を押し込むことができず、作業者は蓋本体１０の前部を持ち上げなおして閉蓋しなければならないことから閉蓋作業が煩わしくなり、作業時間も長くなるという問題があった。
【０００７】
そこで、本発明が解決しようとする課題は、閉蓋の際、バールで蓋本体を引きずるようにしたり、蓋本体を後方から受枠内に押し込むだけで蓋本体をスムーズに受枠内に収めることができる地下構造物用丸型蓋を提供することにある。
【課題を解決するための手段】
【０００８】
この課題を解決するために、本発明の地下構造物用丸型蓋は、丸型の蓋本体と、この蓋本体を内周面上部で支持する受枠とからなる地下構造物用丸型蓋において、受枠の内周面上部には、受枠の内方に向けて凸となる受枠凸曲面部を形成するとともに、この受枠凸曲面部の上方に凹状の受枠凹曲面部を連続して形成し、蓋本体の外周側面には、前記受枠凸曲面部に倣った凹状の蓋凹曲面部を形成するとともに、この蓋凹曲面部の上方に前記受枠凹曲面部に倣った凸状の蓋凸曲面部を連続して形成したことを特徴とする。
【０００９】
このような構成にすることで、閉蓋時に蓋本体の後方から蓋本体を押し込んで受枠内に収める際、蓋本体の蓋凸曲面部の下側が受枠の受枠凸曲面部の上側に接触し、さらに蓋本体を後方から押すと蓋本体の蓋凸曲面部と受枠の受枠凸曲面部との接触部が徐々に蓋本体の前部に移動しながら蓋凸曲面部が受枠凸曲面部によってガイドされる。そのため、蓋本体を後方から押し込むだけで、蓋本体を受枠にスムーズに収めることができる。
【発明の効果】
【００１０】
本発明では、受枠の内周面上部には、受枠の内方に向けて凸となる受枠凸曲面部を形成するとともに、この受枠凸曲面部の上方に凹状の受枠凹曲面部を連続して形成し、蓋本体には、その外周側面下部に凹状の蓋凹曲面部を形成するとともに、この蓋凹曲面部の上方に凸状の蓋凸曲面部を連続して形成したので、閉蓋の際、蓋凸曲面部が受枠凸曲面部によってガイドされながら移動し、バールで蓋本体を引きずるようにしたり、蓋本体を後方から押し込むだけで蓋本体を受枠内にスムーズに収めることができる。
【発明を実施するための最良の形態】
【００１１】
以下、図面に示す実施例に基づき本発明の実施の形態を説明する。
【００１２】
図１は、本発明の地下構造物用丸型蓋の分解斜視図である。本発明の地下構造物用丸型蓋は、丸型の蓋本体１０とこの蓋本体１０を内周面上部で支持する受枠２０とから構成され、蓋本体１０は図示しない蝶番金物によって受枠２０に対して開閉可能に連結されている。この地下構造物用丸型蓋は、例えばマンホールの上部側塊の上端部に取り付けられ、その上端面が地表面と面一となるように設置される。
【００１３】
図２は、蓋本体を受枠で支持した閉蓋状態における要部の縦断面図である。同図に示すように、受枠２０の内周面上部には、受枠２０の内方に向けて凸となる受枠凸曲面部２１を形成するとともに、この受枠凸曲面部２１の上方には、凹状の受枠凹曲面部２２を連続して形成している。さらに、受枠凹曲面部２２の上方には、受枠２０の上方に向けて拡径する受枠上傾斜面部２３を形成し、受枠凸曲面部２１の下方には、受枠２０の下方に向けて縮径する受枠下傾斜面部２４を形成している。
【００１４】
蓋本体１０には、その外周側面に受枠凸曲面部２１に倣った凹状の蓋凹曲面部１１を形成するとともに、この蓋凹曲面部１１の上方に受枠凹曲面部２２に倣った凸状の蓋凸曲面部１２を連続して形成している。さらに、蓋凸曲面部１２の上方には、蓋本体１０の上方に向けて拡径する蓋上傾斜面部１３を形成し、蓋凹曲面部１１の下方には、蓋本体１０の下方に向けて縮径する蓋下傾斜面部１４を形成している。蓋上傾斜面部１３と蓋下傾斜面部１４の傾斜角度（勾配角度）は、それぞれ受枠上傾斜面部２３と受枠下傾斜面部２４の傾斜角度（勾配角度）と同一角度としている。また、受枠上傾斜面部２３を蓋上傾斜面部１３よりも長く形成しておくことで、閉蓋状態では、受枠上傾斜面部２３と蓋上傾斜面部１３および受枠下傾斜面部２４と蓋下傾斜面部１４はそれぞれ嵌合し、蓋凸曲面部１２と受枠凹曲面部２２および蓋凹曲面部１１と受枠凸曲面部２１は接触しないようにしている。このように、閉蓋状態では、蓋凸曲面部１２と受枠凹曲面部２２および蓋凹曲面部１１と受枠凸曲面部２１は接触せずに、蓋本体１０の外周側面の上下２箇所（蓋上傾斜面部１３と蓋下傾斜面部１４）が受枠２０に嵌合支持されるので、蓋本体１０のガタツキを防止できるとともに、土砂、雨水等の地下構造物内部への浸入を防止できる。
【００１５】
次に、本発明の地下構造物用丸型蓋の閉蓋操作について図３を参照して説明する。同図（ａ）は、開蓋後、閉蓋のために蓋本体を水平旋回させこれを受枠にほぼ重ねた状態の断面を示し、同図（ｂ）はこの状態における蓋本体の外周側面と受枠の内周面上部との接触部（同図（ａ）のＡ−Ａ線部）の要部の断面を示している。図３（ｂ）に示すように、閉蓋のために蓋本体１０を受枠２０にほぼ重ねた状態では、蓋凸曲面部１２の下側が受枠凸曲面部２１の上側に接触し、蓋本体１０が受枠２０の中に大きく落ち込むことが防止されている。この状態で、足によって蓋本体１０の後部（図３（ａ）において左端部）を押し、蓋本体１０を斜め下方向に押し込むと、蓋凸曲面部１２の受枠凸曲面部２１との接触部が徐々に蓋本体１０の前方（図３（ａ）において右側）に移動しながら蓋凸曲面部１２が受枠凸曲面部２１によってガイドされる。これに伴い、蓋本体１０の前部（図３（ａ）において右端部）はせり上がるように上昇し、最終的には蓋本体１０が受枠２０内に完全に収まるようになる。このように本発明の地下構造物用丸型蓋では、閉蓋の際に、蓋本体１０は、その蓋凸曲面部１２が受枠凸曲面部２１によってガイドされながら移動するので、蓋本体１０を押し込むだけで蓋本体１０を受枠２０にスムーズに収めることができる。
【００１６】
以上の実施例では、蓋本体１０に蓋上傾斜面部１３と蓋下傾斜面部１４を形成し、これらをそれぞれ受枠上傾斜面部２３と受枠下傾斜面部２４に嵌合支持させる、いわゆる勾配受構造としたが、これらの傾斜面部を形成せずに、蓋凸曲面部１２の下側を受枠凸曲面部２１の上側に載置するようにしてもよい。また、蓋本体１０の外周側面の底面を図４（ｂ）に示すような受枠２０の棚部２５の上面に載置するようにしてもよい。このような構成においても、閉蓋の際は、蓋凸曲面部１２が受枠凸曲面部２１によってガイドされながら移動するので、蓋本体１０を受枠２０内にスムーズに収めることができる。ただし、蓋本体のガタツキ防止や雨水、土砂等の浸入防止の点からは、図示した実施例のように傾斜面部を形成することが好ましい。  
【図面の簡単な説明】
【００１７】
【図１】本発明の地下構造物用丸型蓋の分解斜視図である。
【図２】蓋本体を受枠で支持した閉蓋状態における要部の縦断面図である。
【図３】本発明の地下構造物用丸型蓋における閉蓋操作の説明図である。
【図４】従来の地下構造物用丸型蓋における閉蓋操作の説明図である。
【符号の説明】
【００１８】
１０  蓋本体
１１  蓋凹曲面部
１２  蓋凸曲面部
１３  蓋上傾斜面部
１４  蓋下傾斜面部
２０  受枠
２１  受枠凸曲面部
２２  受枠凹曲面部
２３  受枠上傾斜面部
２４  受枠下傾斜面部
２５  棚部
２６  垂直壁
【図１】
2006312870.tif 000003
【図２】
2006312870.tif 000004
【図３】
2006312870.tif 000005
【図４】
2006312870.tif 000006